(57)【要約】【課題】用液貯留容器への栽培用液の補充が容易に行なえる水耕栽培用具を提供する。【解決手段】栽培用液を貯留する用液貯留容器の口に取り付けて用いる水耕栽培用具であって、ペットボトルなどの用液貯留容器への栽培用液の注ぎ口を有する栽培用液注ぎ入れ部と、植物の栽培用床材を保持するための保持部とが備えられ、注ぎ口は栽培用液注ぎ入れ部の底壁の中央部に設けられるとともに、保持部は栽培用液注ぎ入れ部内における注ぎ口の上方に設けられ、また底壁の下面にはその内部が注ぎ口に連通する筒部が突設され、この筒部の内周面には用液貯留容器の口に設けられた雄ネジに螺合可能な雌ねじが周設された。【選択図】図４
2011155900.tif 000002
【特許請求の範囲】
【請求項１】
栽培用液を貯留する用液貯留容器の口に取り付けて用いる水耕栽培用具であって、前記用液貯留容器への栽培用液の注ぎ口を有する栽培用液注ぎ入れ部と、植物の栽培用床材を保持するための保持部とが備えられ、前記保持部は前記栽培用液注ぎ入れ部内における前記注ぎ口の上方に設けられていることを特徴とする水耕栽培用具。
【請求項２】
前記注ぎ口が前記栽培用液注ぎ入れ部の底壁の中央部に設けられるとともに、前記底壁の下面にはその内部が前記注ぎ口に連通する筒部が突設され、この筒部の内周面には前記用液貯留容器の口に設けられた雄ネジに螺合可能な雌ねじが周設されていることを特徴とする請求項１に記載の水耕栽培用具。
【発明の詳細な説明】
【技術分野】
【０００１】
本発明は、例えばサニーレタスなどの植物を、主として家庭内で育てるのに適した水耕栽用具に関する。
【背景技術】
【０００２】
一般にこの種の水耕栽培用具は、栽培用液を貯留するための用液貯留容器と植物を栽培するための栽培容器とからなり、この栽培容器を用液貯留容器上に取り外し可能に取りつけて、栽培容器で育てられている植物に対して用液貯留容器に貯留した栽培用液を供給するようにしている。
【０００３】
（特許文献１参照）
ところで以上の水耕栽培用具では、植物の栽培に伴い、用液貯留容器内に栽培用液を定期的に補充する必要があるが、前記した水耕栽培用具では、栽培用液を補充する際、その都度、栽培容器を用液貯留容器から取り外して、栽培用液を用液貯留容器に補充した上で、取り外した栽培容器を再度用液貯留容器上にセットしなければならず、全体として手間を要するし、また植物の成長により、植物の根が用液貯留容器内に張ってくると、栽培容器を用液貯留容器から取り外すのが困難となる。
【先行技術文献】
【特許文献】
【０００４】
【特許文献１】実用新案登録第３１１８８１１号
【発明の概要】
【発明が解決しようとする課題】
【０００５】
本発明は、以上の実情に鑑みて開発したものであって、目的とするところは、用液貯留容器への栽培用液の補充が容易に行なえる水耕栽培用具を提供することにある。
【課題を解決するための手段】
【０００６】
以上の目的を達成するために、請求項１に記載の発明は、栽培用液を貯留する用液貯留容器の口に取り付けて用いる水耕栽培用具であって、前記用液貯留容器への栽培用液の注ぎ口を有する栽培用液注ぎ入れ部と、植物の栽培用床材を保持するための保持部とが備えられ、前記保持部は、前記栽培用液注ぎ入れ部内における前記注ぎ口の上方に設けられていることを特徴とする。
【０００７】
請求項２に記載の発明は、請求項１に記載の水耕栽培用具において、前記注ぎ口が前記栽培用液注ぎ入れ部の底壁の中央部に設けられるとともに、前記底壁の下面にはその内部が前記注ぎ口に連通する筒部が突設され、この筒部の内周面には、前記用液貯留容器の口に設けられた雄ネジに螺合可能な雌ねじが周設されていることを特徴とする。
【発明の効果】
【０００８】
請求項１に記載の発明によれば、用液貯留容器上に本発にかかる水耕栽培用具をセットするだけで、植物の栽培が行なえるのは勿論のこと、植物の栽培時に用液貯留容器に栽培用液を補充する際、従来のように水耕栽培用具を用液貯留容器からその都度取り外さなくても、用液貯留容器への栽培用液の補充が簡単且つ容易に行なえことが出来る。
【０００９】
請求項２に記載の発明によれば、注ぎ口が前記栽培用液注ぎ入れ部の底壁の中央部に設けられるとともに、前記底壁の下面にはその内部が前記注ぎ口に連通する筒部が突設され、この筒部の内周面には、前記用液貯留容器の口に設けられた雄ネジに螺合可能な雌ねじが周設されていることにより、請求項１に記載の発明の効果に加えて、水耕栽培用具における筒部の雌ねじを、ペットボトルなどの用液貯留容器の口に形成された雄ネジに螺締するだけで、水耕栽培用具を用液貯留容器上に確実に組み付けることが出来る。
【図面の簡単な説明】
【００１０】
【図１】本発明にかかる水耕栽培容器の一実施形態を示す概略斜視図。
【図２】同、平面図。
【図３】図２におけるA−A線断面図。
【図４】本発明の水耕栽培容器を、用液貯留容器の一例であるペットボトルに組み付けた状態の要部の断面図。
【図５】本発明の水耕栽培容器を、用液貯留容器の一例である広口瓶に組み付けた状態の要部の断面図。
【図６】本発明の水耕栽培容器による栽培例を、用液貯留容器としてペットボトルを用いて示す斜視図。
【図７】本発明の水耕栽培容器による栽培例を、用液貯留容器として広口瓶を用いて示す斜視図。
【発明を実施するための形態】
【００１１】
以下、本発明にかかる水耕栽培用具を説明する。
【００１２】
先ず図１は本発明にかかる水耕栽培容器の一実施形態を示す概略斜視図、図２は同、平面図、図３は図２におけるA−A線断面図、図４は本発明の水耕栽培容器を、用液貯留容器の一例であるペットボトルに組み付けた状態の要部の断面図、図６は本発明の水耕栽培容器による栽培例を用液貯留容器としてペットボトルを用いて示す斜視図である。
【００１３】
以上の図において符号１で示す水耕栽培用具は、既存のペットボトル２ａや広口瓶２ｂを用液貯留容器2として利用して、これらペットボトル２ａや広口瓶２ｂ上に適宜に取り付けて用いるものである。
【００１４】
この水耕栽培用具１は、合成樹脂材料から一体形成され、基本的には、用液貯留容器２への栽培用液の注ぎ口３０を有する栽培用液注ぎ入れ部３と、植物Ｐの栽培用床材４０を保持するための保持部４とが備えられている。
【００１５】
尚、栽培用液は、所望の液肥を水で所定倍数に薄めたものを使用する。
【００１６】
栽培用液注ぎ入れ部３は、図１にも示すように、平面視円形の底壁３１とこの底壁３１の周囲を囲む円筒状の周壁３２とが備えられ、底壁３１の中央には、平面視円形に開口する注ぎ口３０が開設されている。
【００１７】
底壁３１の下面中央部位には、図３にも示すように、その内部が注ぎ口３０に連通する円筒状の筒部３３が突設されており、この筒部３３の内周面には、ペットボトル２ａの飲み口２１部分の外周に設けられている雄ネジ２２に螺合可能な雌ねじ３４が周設されている。
【００１８】
また底壁３１の下面外周には、図３にも示すように、円筒状のガイドリブ３５が突設されている。
【００１９】
一方、保持部４は、図１にも示すように、栽培用液注ぎ入れ部３内における底壁３１の上面中央で且つ注ぎ口３０の外回りに立設する４枚の保持片４１から構成され、隣接する保持片４１間には、用液貯留容器２内の栽培用液を注ぎ口３０側に流すためのスリット状の連絡通路４２が設けられている。
【００２０】
またこの保持部４に保持される栽培用床材４０は、通気性及び通水性を備えたスポンジ材から成り、その上面には、種子を収容するための窪み４０ａが設けられている。
【００２１】
次に以上の構成からなる水耕栽培容器による植物の栽培手順を、用液貯留容器2の一例であるペットボトルを用いて説明する。
【００２２】
先ず保持部４内に栽培用床材４０を装填すると共に、その上面の窪み４０ａに植物の種子を入れる。
【００２３】
次に以上の栽培用床材４０を、水を入れたトレイなどの容器内に置いて、栽培用床材４０に水を充分含ませた状態で数日間そのままにしておき、根や若葉が生えるのを待つ。
【００２４】
そして根や若葉がある程度生えて来た段階で、水耕栽培用具１を容器から取り出して、栽培用床材４０における筒部３３の雌ねじ３４を、ペットボトル２ａの飲み口２１に形成されている雄ネジ２２に螺締することで、図６に示すように、予め栽培用液を入れたペットボトル２ａの飲み口２１上に組み付け、その状態で日の当たる室内に置いて植物が育つのを楽しむ。
【００２５】
ところで植物の栽培に伴い、ペットボトル２ａ内に貯留していた栽培用液が少なくなったら、栽培用液注ぎ入れ部３内に栽培用液を適宜注ぎ込むだけで、従来のように水耕栽培用具１を用液貯留容器２から取り外さなくても、連絡通路４２及び注ぎ口３０を介してペットボトル２ａ内に栽培用液を簡単に補充することができる。
【００２６】
また以上の水耕栽培用具１は、図７に示すように、用液貯留容器2の一例である広口瓶２ｂにも用いることが出来るのであって、前述のペットボトル２ａを用いた栽培例と同様に、根がある程度生えた段階で栽培用床材４０を底壁３１を介して広口瓶２ｂの口上に載せればよい。
【００２７】
ところで、載せた水耕栽培用具１が用液貯留容器２に対して不用意に左右にずれ動いても、ガイドリブの内周面が広口瓶２ｂの口部分に当接した段階で左右へのズレ動きが確実に阻止されるので、水耕栽培用具１が用液貯留容器２から不用意に落下するようなことがない。
【００２８】
以上のように、水耕栽培用具１を広口瓶２ｂにセットした場合でも、広口瓶２ｂ内に貯留していた栽培用液が少なくなったら、栽培用液注ぎ入れ部３内に栽培用液を適宜注ぎ込むだけで、従来のように水耕栽培用具１を用液貯留容器２から取り外さなくても、連絡通路４２及び注ぎ口３０を介して広口瓶２ｂ内内に栽培用液を簡単に補充することができる。
【００２９】
以上の実施形態では、栽培用床材４０をスポンジ材から形成したが、これに限定されるものではなく、例えば不織布から形成してもよい。
【符号の説明】
【００３０】
１      水耕栽培用具
２      用液貯留容器
２ａ    ペットボトル
２ｂ    広口瓶
２１    飲み口
２２    雄ねじ
３      栽培用液注ぎ入れ部
３０    注ぎ口
３１    底壁
３３    筒部
３４    雄ねじ
４      保持部
４０    栽培用床材
４２    連絡通路
Ｐ      植物
【図１】
2011155900.tif 000003
【図２】
2011155900.tif 000004
【図３】
2011155900.tif 000005
【図４】
2011155900.tif 000006
【図５】
2011155900.tif 000007
【図６】
2011155900.tif 000008
【図７】
2011155900.tif 000009